(57)【要約】【課題】電気通信回線を介したユーザーからのアクセスに係るくじに関するものについて、ユーザーが何度もアクセスすることを考慮して構築されたものを提供する。【解決手段】当選番号を決定する番号決定手段１１と、ユーザーからのアクセスに応じて個別番号を付与する番号付与手段１２と、個別番号と当選番号との一致を判定する番号判定手段１３とを有し、番号決定手段１１により当選番号を決定した後で、番号付与手段１２によりアクセスに応じて個別番号を付与し、番号判定手段１３により、個別番号が当選番号と一致するか否かを判断し、一致すれば連絡手段１４によりユーザーに連絡する。【選択図】図１
2005063133.tif 000002
【特許請求の範囲】
【請求項１】
当選番号を決定する番号決定手段と、
ユーザーからのアクセスに応じて個別番号を付与する番号付与手段と、
個別番号と当選番号との一致を判定する番号判定手段とを有し、
番号決定手段により当選番号を決定した後で、番号付与手段によりアクセスに応じて個別番号を付与し、番号判定手段により、個別番号が当選番号と一致するか否かを判断することを特徴とする、くじ装置。
【請求項２】
当選番号を決定する番号決定手段と、
ユーザーからのアクセスに応じて個別番号を順に付与する番号付与手段と、
個別番号と当選番号との一致を判定する番号判定手段と、
ユーザーに対する連絡を行うための連絡手段とを有し、
番号決定手段により当選番号を決定した後で、
番号付与手段によりアクセスに応じて個別番号を付与し、
該個別番号が当選番号と一致するか否かを番号判定手段により判断し、
一致する場合には、連絡手段により当選通知のメールを送信することを特徴とする、くじ装置。
【発明の詳細な説明】
【技術分野】
【０００１】
本発明はくじ装置に関し、詳細には、電気通信回線を介したユーザーからのアクセスによって、くじの当たり外れの判定が可能なくじ装置に関する。
【背景技術】
【０００２】
従来、電気通信回線を介してユーザーからのアクセス可能なくじ装置に関する技術として、例えば、特許文献１（特許第３４２９４８４号公報）に記載の宝くじ販売システムが知られている。
該宝くじ販売システムは、インターネットを介して会員端末から送られる数字選択式宝くじの購入申込を受け付ける受付管理部と、受付管理部によって受け付けられた数字選択式宝くじの購入申込を格納する購入申込記憶部と、数字選択式宝くじの発券サービスを行うホスト・システムに接続され、ホスト・システムが稼働状態であるか否かを判定し、稼働状態であると判定した場合に、購入申込記憶部に記憶された数字選択式宝くじの購入申込をホスト・システムに転送する転送管理部と、数字選択式宝くじの購入申込に応じてホスト・システムにおいて発券された数字選択式宝くじの情報を、インターネットを介して会員端末に配信する送付部と、ホスト・システムからの数字選択式宝くじの抽せん結果を記憶する抽せん結果記憶部と、抽せん結果記憶部に記憶された数字選択式宝くじの抽せん結果を管理する当せん管理部であって、数字選択式宝くじの当せん番号を得て、該当せん番号と、会員毎の２以上の反復購入回数が設定された数字選択式宝くじのくじ番号とを比較し、くじ番号が当せん番号と一致しない限り、会員毎の設定された反復購入回数分だけ、同じ番号の数字選択式宝くじを自動的に購入するよう構成された当せん管理部とからなり、転送管理部はさらに、ホスト・システムが非稼働状態であると判定した場合に、会員端末に対して、購入申込記憶部に記憶された数字選択式宝くじの購入申込の予約を受け付けたことを、送付部を介して通知させるよう構成されていることを特徴とするものである。
このような構成を有する前記システムは、インターネットの特性を生かしているので、購入者が投票券販売所に出向く必要がなくなるとともに種々の購入オプションを選択することが可能となり、また、投票券の発券サービス・ホスト・システムが非稼働状態であっても、投票券の購入を申し込むことができるので、購入者にとって極めて利便性が高いものである。
【特許文献１】特許第３４２９４８４号公報
【発明の開示】
【発明が解決しようとする課題】
【０００３】
しかしながら、特許文献１に記載の発明において、ユーザーがインターネットを介して、本システムにアクセスするのは、購入の意思を有して申し込みを行う時だけである。
そのため、該システムは、ユーザーが何度もアクセスすることを考慮して構築されたものではない。
従って、電気通信回線を介したユーザーからのアクセスに係るくじに関するものについて、ユーザーが何度もアクセスすることを考慮して構築されたものが望まれていた。
【課題を解決するための手段】
【０００４】
本発明の課題を解決するための手段は、次のとおりである。
【０００５】
第１に、
当選番号を決定する番号決定手段と、
ユーザーからのアクセスに応じて個別番号を付与する番号付与手段と、
個別番号と当選番号との一致を判定する番号判定手段とを有し、
番号決定手段により当選番号を決定した後で、番号付与手段によりアクセスに応じて個別番号を付与し、番号判定手段により、個別番号が当選番号と一致するか否かを判断することを特徴とする、くじ装置。
第２に、
当選番号を決定する番号決定手段と、
ユーザーからのアクセスに応じて個別番号を順に付与する番号付与手段と、
個別番号と当選番号との一致を判定する番号判定手段と、
ユーザーに対する連絡を行うための連絡手段とを有し、
番号決定手段により当選番号を決定した後で、  例えば、
番号付与手段によりアクセスに応じて個別番号を付与し、
該個別番号が当選番号と一致するか否かを番号判定手段により判断し、
一致する場合には、ユーザーに対してメールアドレスの入力を求め、該入力されたメールアドレスに、当選通知のメールを連絡手段によって送信することを特徴とする、くじ装置。
【０００６】
ここで、番号決定手段は、ある番号を不作為的に決定できる手段であればよく、例えば、１０桁の数値について各桁の数値を乱数表に基づいて決定する手段を採用できる。
【０００７】
また、番号付与手段は、例えば、昇順に番号を付与する場合には、番号決定手段により決定された番号より少ない数値を初期値として付与するものであり、ユーザーからのアクセスに応じて数値が順に１ずつ繰り上がるアクセスカウンタを用いることができる他に、スロットマシンのように各桁の数値をユーザーの命令によって決定する手段を取り入れることもできる。
ここで、番号付与手段は、ＩＰアドレスで特定される同一のアクセス箇所からの連続アクセスの制限手段を備えることができる。
【０００８】
なお、連絡手段として、ユーザーに対してメールアドレスの入力を求める手段を含めることもできるが、該メールアドレスの入力を番号付与手段に係るアクセスの際に求めることもできる。
【発明の効果】
【０００９】
本発明のくじ装置は、予め当選番号を決定しておいて、ユーザーのアクセス毎に個別番号を付与し、個別番号と当選番号との一致を判定するので、ユーザーが何度もアクセスすることを考慮して構築されている。
そして、本発明のくじ装置を用いることで、ユーザーからのアクセス回数が多いサイトの運営が可能になる。
【実施例１】
【００１０】
次に、本発明の一実施例について、図面に基づいて説明する。
【００１１】
図１は、本発明のくじ装置の実施例１の概略図である。
【００１２】
図１に示す本発明のくじ装置１は、インターネットを介してユーザーがアクセス可能な宝くじサイト２の運営に係るものであり、当選番号を決定する番号決定手段１１と、ユーザーからのアクセスに応じて個別番号を順に付与する番号付与手段１２と、個別番号と当選番号との一致を判定する番号判定手段１３と、ユーザーに対する連絡を行うための連絡手段１４とを有している。
【００１３】
ここで、番号決定手段１１は、ある番号を不作為的に決定するものであり、例えば、４桁の数値について各桁の数値を乱数表に基づいて決定するものである。
【００１４】
また、番号付与手段１２は、ユーザーからのアクセスに応じて数値が順に１ずつ繰り上がるアクセスカウンタを用い、個別番号をアクセス順に付与するものである。
【００１５】
番号判定手段１３は、個別番号が当選番号に一致している場合には「イエス」を選択し、一致していない場合には「ノー」を選択するものである。
【００１６】
連絡手段１４は、番号判定手段１３によりイエスが選択された場合には、アクセスしたユーザーに対して、メールアドレス及び名前の入力を求める入力画面が表示される表示手段を有し、該入力されたメールアドレスに当選通知のメールを送信するものである。
【００１７】
次に、上記のくじ装置の作用について説明する。
【００１８】
まず、予め番号決定手段１１により当選番号を決定し、該当選番号を宝くじサイト２に表示しておく。
仮に、当選番号を１２３４とすると、宝くじサイト２におけるホームページにおいて、次回の当選番号が１２３４であることを、予め発表する。
ここで、宝くじサイト２には、当選番号の表示部の他に、アクセスカウンタによってユーザーからのアクセス回数に応じて数値が順に１ずつ繰り上がることで付与された個別番号の表示部が設置されている。
【００１９】
ユーザーが宝くじサイト２にアクセスすると、当選番号を知ることができると同時に、今回のアクセスによって番号付与手段１２により付与された個別番号を知ることができる。
【００２０】
付与された個別番号は、アクセス毎に、番号判定手段１３により、当選番号と一致するか否かが判断される。
そして、一致しない場合には、番号判定手段１３がノーと判定するので、画面上、特に変化は現れない。
【００２１】
例えば、今回のアクセスによる個別番号が１０００だとすると画面上は特に変化しないが、ここから２３４番後にアクセスすれば当選番号を入手できることがわかる。
そして、次のアクセスによる個別番号が１０９０、更に次のアクセスによる個別番号が１１９０だとすると、もう少しで当選番号の入手が可能であるので、より頻繁にアクセスするようになる。
【００２２】
ついに、あるユーザーのアクセスによって個別番号が１２３４になったとすると、当選番号と一致することになり、番号判定手段１３がイエスーと判定する。
すると、連絡手段１４が有する表示手段により、今回のアクセスに係るユーザーに対して、「当選おめでとうございます」の表示と共に、メールアドレス及び名前の入力を求める入力画面が表示される。
そして、ユーザーが入力画面にメールアドレス及び名前を入力すると、連絡手段１４によって、入力されたメールアドレスに当選通知のメールが送信される。
【図面の簡単な説明】
【００２３】
【図１】本発明のくじ装置の実施例１の概略図である。
【符号の説明】
【００２４】
１１  番号決定手段
１２  番号付与手段
１３  番号判定手段
１４  連絡手段
【図１】
2005063133.tif 000003